(57)【特許請求の範囲】
【請求項１】
垂直部材と、この垂直部材の上端に内端側が固着されて水平に延出する足場板支持用丸パイプ材と、この丸パイプ材の外端側と前記垂直部材の下端側とをつなぐ斜め支持材と、前記垂直部材の前記丸パイプ材の延出側とは反対側に取り付けられたパイプクランプとを備えている足場板支持用ブラケットにおいて、前記丸パイプ材は、前記垂直部材の上端に形成された筒状部を貫通して前記パイプクランプの上方側に突出する突出内端部を備え、この突出内端部の端面は、前記パイプクランプが把持する鋼管の周面に横から嵌合するように平面円弧形に形成されている、足場板支持用ブラケット。
【請求項２】
前記垂直部材は、その上端筒状部の周側板から下方に一体に延出する左右両側板部と、この左右両側板部を前記パイプクランプのある側でつなぐ底板部とを有する溝形鋼状のプレス成形品から成り、前記パイプクランプは、この垂直部材の上端筒状部の直下位置で前記垂直部材底板部に台座を介して取り付けられ、前記垂直部材底板部の下端部には、平面Ｖ形の嵌合部材が直接取り付けられ、この嵌合部材が、前記パイプクランプが把持する鋼管に横から嵌合し得るように、前記垂直部材の前記台座と前記嵌合部材との間の部分を屈曲させてある、請求項１に記載の足場板支持用ブラケット。
【請求項３】
前記丸パイプ材の突出内端部の端は、キャップ材により閉じられている、請求項１又は２に記載の足場板支持用ブラケット。
【発明の詳細な説明】
【技術分野】
【０００１】
本発明は、枠組み足場の外側に補助の足場板を架設する場合などに活用される足場板支持用ブラケットに関するものである。
【背景技術】
【０００２】
この種の足場板支持用ブラケットとして、垂直部材と、この垂直部材の上端に内端側が固着されて水平に延出する足場板支持用丸パイプ材と、この丸パイプ材の外端側と前記垂直部材の下端側とをつなぐ斜め支持材と、前記垂直部材の前記丸パイプ材の延出側とは反対側に取り付けられたパイプクランプとを備えている足場板支持用ブラケットが、例えば特許文献１などによって知られている。而して、このような構造の足場板支持用ブラケットにおいて、前記垂直部材の上端と足場板支持用丸パイプ材の内端部とを結合する場合、垂直部材の上端面と足場板支持用丸パイプ材の内端部下側面とをＴ字形に当接させて両者を溶接するよりも、特許文献１にも記載されるように、前記垂直部材の上端部を丸パイプ材の内端部に被せた状態で両者を溶接するのが、高い結合強度を得る方法として一般的である。
【特許文献１】特公昭５９−２２８４４号公報
【発明の開示】
【発明が解決しようとする課題】
【０００３】
しかしながら上記のような足場板支持用ブラケットの構造では、前記垂直部材の上端部が足場板支持用丸パイプ材の内端部に被さっているため、当該垂直部材の上端部を含む足場板支持用丸パイプ材の内端部の横巾が広くなる。従って、木材やアルミニウム成形品の帯状板を足場板として前記足場板支持用丸パイプ材の上に載置させて使用するときは、当該足場板が前記垂直部材の上端と丸パイプ材の上面とにわたって乗るだけで特に問題にはならないが、アルミニウム成形品の帯状板の長さ方向両端の両側辺から前記足場板支持用丸パイプ材に上から嵌合させるフック部材が突設されているフック付き足場板を利用しようとした場合、前記フック部材を前記垂直部材の上端部で横巾の広くなった足場板支持用丸パイプ材の内端部に嵌合させることができないので、そのフック部材を、垂直部材の上端部を避けて当該垂直部材の上端部よりも足場板支持用丸パイプ材の外端側にずらした位置で当該丸パイプ材に嵌合させることになる。従って、当該足場板がこの足場板支持用ブラケットを支持する枠組み足場の鋼管から外側に離れる結果、当該足場板支持用ブラケットに無理な下向きの曲げ力が作用することになり、安全性が低下する。
【課題を解決するための手段】
【０００４】
本発明は上記のような従来の問題点を解消し得る足場板支持用ブラケットを提供することを目的とするものであって、その手段を後述する実施形態の参照符号を付して示すと、垂直部材２と、この垂直部材２の上端に内端側が固着されて水平に延出する足場板支持用丸パイプ材１Ａと、この丸パイプ材１Ａの外端側と前記垂直部材２の下端側とをつなぐ斜め支持材３と、前記垂直部材２の前記丸パイプ材１Ａの延出側とは反対側に取り付けられたパイプクランプ４とを備えている足場板支持用ブラケットにおいて、前記丸パイプ材１Ａは、前記垂直部材２の上端に形成された筒状部８を貫通して前記パイプクランプ４の上方側に突出する突出内端部１０を備え、この突出内端部１０の端面１０ａが、前記パイプクランプ４が把持する鋼管Ｐの周面に横から嵌合するように平面円弧形に形成された構成となっている。
【０００５】
上記構成の本発明を実施するについて、請求項２に記載のように、前記垂直部材２は、その上端筒状部８の周側板から下方に一体に延出する左右両側板部９ａと、この左右両側板部９ａを前記パイプクランプ４のある側でつなぐ底板部９ｂとを有する溝形鋼状のプレス成形品から構成し、前記パイプクランプ４は、この垂直部材２の上端筒状部８の直下位置で前記垂直部材底板部９ａに台座１３を介して取り付け、前記垂直部材底板部９ｂの下端部には、平面Ｖ形の嵌合部材５を直接取り付け、この嵌合部材５が、前記パイプクランプ４が把持する鋼管Ｐに横から嵌合し得るように、前記垂直部材２の前記台座１３と前記嵌合部材５との間の部分を屈曲させることができる。
【０００７】
又、請求項３に記載のように、前記丸パイプ材１Ａの突出内端部１０の端は、キャップ材２６により閉じておくことができる。
【発明の効果】
【０００８】
上記構成の本発明に係る足場板支持用ブラケットによれば、足場板支持用丸パイプ材の内端部が垂直部材の上端部よりパイプクランプの上方側に突出し、この突出内端部が、前記パイプクランプが把持する鋼管の周面に隣接する構成であるため、先に説明したようなフック付き足場板を利用する場合でも、当該足場板の両端の左右両側辺から突出しているフック部材の内、パイプクランプが把持する鋼管に隣接する側のフック部材を前記丸パイプ材の突出内端部に上から嵌合させて、当該丸パイプ材の突出内端部が隣接する前記鋼管にフック部材を隣接させる状態でフック付き足場板を支持させることができる。
【０００９】
従って、フック付き足場板を支持させる場合に、そのフック部材を、垂直部材の上端部を避けて当該垂直部材の上端部よりも足場板支持用丸パイプ材の外端側にずらした位置で当該丸パイプ材に嵌合させなくとも済み、この足場板支持用ブラケットに無理な下向きの曲げ力を作用させないで安全に使用することができる。又、垂直部材の上端筒状部を足場板支持用丸パイプ材が貫通しているのであるから、溶接で両者を結合させる場合でも簡単な溶接で済み、溶接に頼らないで垂直部材の上端筒状部をカシメて足場板支持用丸パイプ材の周側板部に食い込ませる簡単なカシメにより両者を結合させることができるものでありながら、垂直部材と足場板支持用丸パイプ材との結合強度を十分に高めることができるものである。更に本発明によれば、フック付き足場板のフック部材を、パイプクランプが把持する鋼管に当接させるほどに当該鋼管に接近させて足場板支持用丸パイプ材に嵌合させることが可能になり、パイプクランプが把持する鋼管と足場板支持用丸パイプ材との間の隙間に前記フック部材が嵌まり込むような危険な事態を回避できる。
【００１０】
尚、請求項２に記載の構成によれば、垂直部材を、パイプクランプを取り付ける台座部を一体に備えた特殊形状に構成するのではなく、中間部分が屈曲しているだけの比較的単純な溝形鋼状のプレス成形品で構成でき、しかも台座が必要になるのはパイプクランプの取り付けに関してだけであって、嵌合部材の取り付けには台座が不要であるから、結果的に全体の構造がシンプルになって安価に実施することができる。
【００１１】
又、請求項３に記載の構成によれば、従来の垂直部材の上端部を足場板支持用丸パイプ材の内端に被せた構成と同様に、当該足場板支持用丸パイプ材内に内端開口部からモルタルなどが入り込んで凝固するようなことを防止でき、当該足場板支持用丸パイプ材を伸縮構造に構成している場合に当該丸パイプ材内に入り込んだ異物でその伸縮機能に悪影響が及ぶような不都合な事態を生じさせないで済む。
【発明を実施するための最良の形態】
【００１２】
以下に本発明の基礎となる基本構造を添付図に基づいて説明すると、図１〜図３において、１は足場板支持部材、２は垂直部材、３は斜め支持材、４はパイプクランプ、５は嵌合部材、６は足場板落下止め突出片、７は足場板外側辺支持部材である。足場板支持部材１は、固定丸パイプ材１Ａと当該固定丸パイプ材１Ａに出退移動自在に内嵌された可動部材１Ｂとから成る伸縮自在構造のものであって、可動部材１Ｂの外端に足場板落下止め突出片６が上向きに突出するように取り付けられている。斜め支持材３は垂直部材２の下端部と足場板支持部材１における固定丸パイプ材１Ａの外端部との間に斜めに取り付けられている。
【００１３】
垂直部材２は、図１に示すように、上端垂直部２ａと下端垂直部２ｂ、及び両者をつなぐ屈曲傾斜部２ｃから成るもので、上端垂直部２ａの上端には、足場板支持部材１における固定丸パイプ材１Ａを直角水平向きに貫通させることができる筒状部８が形成され、この筒状部８から垂直部材２の下端までの全体が、前記筒状部８の周側板部から下方に連続する左右両側板部９ａと、この左右両側板部９ａどうしをつなぐ底板部９ｂとから成る溝形鋼状に成形されたプレス加工品から構成されている。尚、左右両側板部９ａ間の内巾は筒状部８の内径より小さく、この左右両側板部９ａ間において筒状部８は下方に開放されているが、この開放部を底板部９ｂの上端が閉じている。換言すれば、垂直部材２は、上端垂直部２ａと下端垂直部２ｂ、及び両者をつなぐ屈曲傾斜部２ｃから成る溝形鋼状で且つ上端において左右両側板部９ａどうしが円弧状につながった形状のプレス加工品の底板部９ｂの上端に固定丸パイプ材１Ａを直角水平向きに貫通させることができる貫通孔を加工することによって構成されたものである。
【００１４】
而して、足場板支持部材１における固定丸パイプ材１Ａは、その内端部が垂直部材２の上端の筒状部８内に、左右両側板部９ａ間を通って底板部９ｂの貫通孔を貫通する向きで挿通され、当該筒状部８から所要長さの内端部１０が突出する状態で両者が互いに固着されている。この固定丸パイプ材１Ａと垂直部材２の上端筒状部８との固着は、溶接によることも可能であるが、この実施形態では、図５に示すように、固定丸パイプ材１Ａの周側板部の直径方向２箇所に設けられた下孔１１それぞれに、筒状部８の周側板部を円筒状に内向きに加圧突出させた直径方向一対の円筒状カシメ部１２を圧入させるカシメ方法により固着している。
【００１５】
パイプクランプ４は、図４及び図５に示すように、垂直部材２の上端垂直部２ａで上端筒状部８の直下位置における底板部９ｂに台座１３を介して取り付けられている。この台座１３は、正面板部１３ａと左右両側板部１３ｂとを備えた平面コ字形の板材から成るもので、その正面板部１３ａの上下両側辺からは外向きにパイプクランプ位置決め用折曲片１３ｃが一体に折曲連設されると共に、その左右両側板部１３ａの垂直遊側辺からは上下一対左右二組の舌片１３ｄが一体に突設されている。而して、この台座１３の上下一対左右二組の舌片１３ｄを垂直部材２の底板部９ｂに設けられた各貫通孔１４に嵌合させ、パイプクランプ４のベース部材４ａを、上下一対のパイプクランプ位置決め用折曲片１３ｃ間に嵌合するように台座１３の正面板部１３ａに当接させた状態で、ボルト１５を、パイプクランプ４のベース部材４ａ側から垂直部材２の底板部９ｂに挿通させ、この底板部９ｂの内側でナット１６を螺合締結させることにより、パイプクランプ４を台座１３と共に垂直部材２の上端垂直部２ａの底板部９ｂに取り付けている。勿論、台座１３を垂直部材２の底板部９ｂに溶接その他適当な方法で固着し、この台座１３にパイプクランプ４を取り付けることも可能である。
【００１６】
嵌合部材５は、図６に示すように平面が横向きのＶ字形で、その最深部が垂直部材２の下端垂直部２ｂにおける底板部９ｂに斜め支持材３の下端部と共に上下２本のリベット１７（図３参照）により固着されている。斜め支持材３の上端水平部３ａは、足場板支持部材１における固定丸パイプ材１Ａの外端部下側に、当該固定丸パイプ材１Ａの長さ方向内外２本のリベット１８（図２参照）により固着されると共に、この２本のリベット１８の中間位置において斜め支持材３の上端水平部３ａから上向きにバーリング加工で形成された短筒状部１９が固定丸パイプ材１Ａの内側に上向きに突出し、この短筒状部１９の貫通孔に対するねじ切り加工で構成された上下方向の貫通ねじ孔に、前記可動部材１Ｂを固定する締結用ボルト２０が螺合貫通せしめられている。又、斜め支持材３の上端水平部３ａの先端からは、固定丸パイプ材１Ａの外端部において上向きに突出する舌片２１が折曲連設されている。
【００１７】
可動部材１Ｂは、帯状板を、その長さ方向に沿った両側辺が下側中央位置で互いに隣接する縦断面縦長筒状に曲げ加工して成るもので、図２に示すように、その下側中央位置で互いに隣接する両側辺間に前記締結用ボルト２０と舌片２１とが上下方向に貫通する長孔部２２が形成され、締結用ボルト２０の締め付けにより可動部材１Ｂの円弧形の天板部が固定丸パイプ材１Ａの内側天井面に圧接されて、固定丸パイプ材１Ａに対し可動部材１Ｂが固定されるように構成している。
【００１８】
足場板外側辺支持部材７は、前記固定丸パイプ材１Ａと同一の丸パイプ材を所定長さに裁断した円筒体の下側部に、前記可動部材１Ｂの下側中央位置で互いに隣接する両側辺間の間隔を広げた部分に当該可動部材１Ｂの外端から嵌入させることができる突曲部を形成したもので、このように可動部材１Ｂの外端部に外嵌させた足場板外側辺支持部材７の抜け止めを兼ねて可動部材１Ｂの外端に足場板落下止め突出片６が取り付けられている。
【００１９】
尚、可動部材１Ｂ、斜め支持材３、嵌合部材５、足場板落下止め突出片６、及び足場板外側辺支持部材７などの詳細な構造や、嵌合部材５と斜め支持材３の垂直部材２の下端垂直部２ｂに対する固着構造、可動部材１Ｂに対する足場板落下止め突出片６及び足場板外側辺支持部材７の取り付け構造などは、先に本出願人が出願した特願２００５−２６０１９１に開示されているものと実質的に同一である。
【００２０】
パイプクランプ４は従来周知のもので、図２に示すように、ベース部材４ａの一端部に支軸４ｂを介して開閉自在に連結された押さえ部材４ｃと、ベース部材４ａの他端部に支軸４ｄにより軸支された締結用ボルトナット４ｅとを備え、ベース部材４ａと押さえ部材４ｃとの間で把持した鋼管Ｐを、押さえ部材４ｃの遊端部に係合させた締結用ボルトナット４ｅの締め付けにより固定把持し得るものである。而して、図１に仮想線で示すように、枠組み足場を構成している上下方向の鋼管Ｐに対して嵌合部材５を横から嵌合当接させると共に、当該鋼管Ｐをパイプクランプ４で把持固定させたとき、足場板支持部材１（固定丸パイプ材１Ａ及び可動部材１Ｂ）は当該鋼管Ｐに対して略水平になり、このとき垂直部材２の上端筒状部８から突出する固定丸パイプ材１Ａの突出内端部１０の端面１０ａが前記鋼管Ｐに小間隙を隔てて隣接するように構成されている。
【００２１】
従って、図１〜図３のそれぞれに仮想線で示すように、アルミニウム成形品の帯状板２３の長さ方向両端の両側辺から前記固定丸パイプ材１Ａに上から嵌合させるフック部材２４が突設されているフック付き足場板２５を使用するとき、鋼管Ｐに近い側のフック部材２４を固定丸パイプ材１Ａの突出内端部１０に、鋼管Ｐに隣接するように嵌合させることができるのである。尚、鋼管Ｐから遠い側のフック部材２４は、帯状板２３の巾に合わせて予め固定丸パイプ材１Ａからの突出長さが調整された状態で当該固定丸パイプ材１Ａに締結用ボルト２０で固定されている可動部材１Ｂの外端部の足場板外側辺支持部材７（下側部が上方に凹んでいるだけで、固定丸パイプ材１Ａと外径が同一）に嵌合させることになる。
【００２２】
又、実際には仮想線で示すように、１つの足場板支持用ブラケットに対して両側に前記フック付き足場板２５を架設することになるが、この場合、一方の足場板２５の左右一対のフック部材２４と他方の足場板２５の左右一対のフック部材２４とを隣接させるように、１つの足場板支持用ブラケットの固定丸パイプ材１Ａの突出内端部１０と足場板外側辺支持部材７とに嵌合させることになり、しかも各フック部材２４には、その同一側の側部に、当該フック部材２４が嵌合する鋼管Ｐの周方向に上下動させることができて通常は重力で鋼管Ｐからのフック部材２４の持ち上げを阻止する可動ロック板２４ａが装着されているので、前記突出内端部１０と足場板外側辺支持部材７とは、それぞれ可動ロック板２４ａを備えた２つのフック部材２４を並列状態で嵌合させることができるだけの巾（長さ）を有せしめている。
【００２３】
図１〜図５に基づいて説明した上記の足場板支持用ブラケットでは、固定丸パイプ材１Ａの突出内端部１０の端面１０ａが、この固定丸パイプ材１Ａの軸心に対して直角に剪断した形状に構成されているが、本発明では、図７及び図８に示すように、固定丸パイプ材１Ａの突出内端部１０の端面１０ａが、パイプクランプ４が把持する鋼管Ｐの周面に横から嵌合するように平面円弧形に形成される。
【００２４】
又、図９に示すように、固定丸パイプ材１Ａの突出内端部１０の開口端部は、キャップ材２６により閉じておくこともできる。図示のキャップ材２６は、固定丸パイプ材１Ａの内側に密に圧入し得る外径の短筒部２６ａと、この短筒部２６ａの外端から連設されて固定丸パイプ材１Ａの突出内端部１０の端面１０ａに当接するフランジ部２６ｂとを有するものであるが、本発明の構成、即ち、図７及び図８に示したように端面１０ａが平面円弧形に形成された突出内端部１０に対して使用する場合には、フランジ部２６ｂのないキャップ材や、平面円弧形の端面１０ａに沿ったフランジ部２６ｂを有するキャップ材、或いは平面円弧形の端面１０ａの最深部にのみ係合する突出片を上下一対備えたキャップ材とすることができる。
【図面の簡単な説明】
【００２５】
【図１】本発明の基礎となる基本構造を示す全体の側面図である。
【図２】同上の一部横断平面図である。
【図３】同上の側面図である。
【図４】図１のＡ−Ａ線拡大断面図である。
【図５】図１の要部の拡大縦断側面図である。
【図６】図１のＢ−Ｂ線拡大断面図である。
【図７】本発明の実施形態を示す要部の側面図である。
【図８】同上要部の平面図である。
【図９】別の実施形態の基本構造を示す要部の縦断側面図である。
【符号の説明】
【００２６】
１    足場板支持部材
１Ａ    固定丸パイプ材
１Ｂ    可動部材
２    垂直部材
２ａ    上端垂直部
２ｂ    下端垂直部
２ｃ    屈曲傾斜部
３    斜め支持材
４    パイプクランプ
４ａ    パイプクランプのベース部材
５    嵌合部材
６    足場板落下止め突出片
７    足場板外側辺支持部材
８    垂直部材上端の筒状部
９ａ    垂直部材の左右両側板部
９ｂ    垂直部材の底板部
１０    固定丸パイプ材の突出内端部
１２    円筒状カシメ部
１３    台座
１３ａ    台座の正面板部
１３ｂ    台座の左右両側板部
１３ｃ    台座のパイプクランプ位置決め用折曲片
１３ｄ    台座の舌片
１５    ボルト
１６    ナット
２０    可動部材締結用ボルト
２３    帯状板
２４    フック部材
２４ａ    可動ロック板
２５    フック付き足場板
２６    キャップ材
Ｐ    鋼管
【図１】
0004807832.tif 000002
【図２】
0004807832.tif 000003
【図３】
0004807832.tif 000004
【図４】
0004807832.tif 000005
【図５】
0004807832.tif 000006
【図６】
0004807832.tif 000007
【図７】
0004807832.tif 000008
【図８】
0004807832.tif 000009
【図９】
0004807832.tif 000010